(57)【要約】【課題】手術器械の術中管理を容易かつ確実に行えるようにし、患者の安全と手術室の効率的な運営とを両立できるようにする。【解決手段】術野における手術器械の術中管理装置４は、コードリーダ９ｃが手術器械３の個体識別をする２次元シンボル３ａを読み取り、それに対応する手術器械３を術野に払い出しているものとして読取器械表示画面１６ｂに一覧表示する。これによって、読取器械表示画面１６ｂを見れば術野に払い出されている手術器械３を確実に把握することができる。したがって払い出されている手術器械３が無いことを確認すれば、術野に払い出し中の手術器械３が無いことになるので、その術中管理を容易かつ確実に行うことができる。【選択図】図２
2018068916.tif 000002
【特許請求の範囲】
【請求項１】
術野における手術器械の術中管理装置であって、
前記手術器械を個体識別する識別コードを取得する取得部と、
前記取得部が取得した前記識別コードに対応する前記手術器械を前記術野に払い出しているものとして一覧表示する読取器械表示画面を表示する制御部と、を備える手術器械の術中管理装置。
【請求項２】
前記制御部は、前記取得部が新たに取得した識別コードと一致する取得済みの前記識別コードの有無を判定し、一致すると判定した前記識別コードに対応する前記手術器械を、前記読取器械表示画面から消去する請求項１記載の手術器械の術中管理装置。
【請求項３】
前記制御部は、前記識別コードを取得できない前記手術器械を前記術野に払い出している読取不可器械として一覧表示する読取不可器械表示画面を表示する請求項１又は請求項２記載の手術器械の術中管理装置。
【請求項４】
術野における手術器械の術中管理方法であって、
前記手術器械の個体を識別する識別コードを取得装置で取得するステップと、
前記識別コードに対応する前記手術器械を前記術野に払い出しているものとして一覧表示する読取器械表示画面を表示装置に表示するステップと、を有する手術器械の術中管理方法。
【発明の詳細な説明】
【技術分野】
【０００１】
本発明は、手術器械の術野への払い出しと術野からの回収とを術中に管理する装置と方法に関する。
【背景技術】
【０００２】
手術室の効率的な運営が病院経営における一つの課題とされている。手術時間が短くなれば、より多くの患者の手術を行うことができ、広いスペースと膨大なコストがかかる手術室の増大に依存することなく、患者数の増加に対応できるからである。手術時間の短縮を妨げる一つの要因として術前術後の手術器械の確認作業がある。大規模な手術で使われる手術器械の数は１００を超えることもあり、術前にすべての手術器械を展開台に並べてその種類と数を確認し、術後にもすべての手術器械を並べて術前と変わりが無いかを一つ一つ確認するようにしている。そして異常が無いことを確認してからでなければ、閉創することができないのである。このような多くの時間と手間をかけて確認作業するのは、手術器械の術野からの回収漏れを無くし、体内残留を確実に予防するためである。
【０００３】
従来の手術器械の管理方法の一例として、特開平７−１７８１０６号公報には、手術器材にコンピュータへの機械入力が可能なバーコードラベルＬを付与しておき、個々の手術器材の履歴情報をコンピュータ管理する手術器材の管理方法が開示されている。しかしながらこの特許文献には、手術器材の術野からの回収漏れを無くし、体内残留を確実に予防するための手術器材の術中管理については開示を欠如している。
【先行技術文献】
【特許文献】
【０００４】
【特許文献１】特開平７−１７８１０６号公報
【発明の概要】
【発明が解決しようとする課題】
【０００５】
ところで、手術器械の術野への払い出しと回収の管理は、執刀医との間で手術器械を受け渡しを行う看護師が行っており、主に病院が決めたルールに従って行っていることが多い。しかしながら、使用する手術器械の種類と数が多くなればなるほど、術野に出入りする手術器械の管理が複雑となり、その管理には看護師の高度な専門知識と多くの経験が無ければ難しくなる。また１０時間を超えるような長時間の手術では、看護師の負担も大きくなりミスも起きやすくなる。そのため、途中で看護師が交代することも多く、細心の注意を払って管理状況を引き継がなければならないことから看護師にとっては大変な負担となる。そして術前術後に行うすべての手術器械の種類と数の確認作業は、それがどれほど大変な作業だとしても患者の安全確保のためには欠かすことができない。以上のように、従来の手術器械の術中管理は、ベテラン看護師であっても大きな負担であり、また術前術後の確認作業の省略はできないことから手術時間の短縮化に貢献することは期待できないのが現状である。
【０００６】
以上のような従来の手術器械の術中管理を背景にしてなされたのが本発明である。その目的は、手術器械の術中管理を容易かつ確実に行えるようにし、患者の安全と手術室の効率的な運営とを両立できるようにすることにある。
【課題を解決するための手段】
【０００７】
上記目的を達成すべく本発明は、以下の特徴を有するものとして構成される。
【０００８】
即ち、本発明は、術野における手術器械の術中管理装置であって、前記手術器械を個体識別する識別コードを取得する取得部と、前記取得部が取得した前記識別コードに対応する前記手術器械を前記術野に払い出しているものとして一覧表示する読取器械表示画面を表示する制御部と、を備える手術器械の術中管理装置を提供する。
【０００９】
これによれば、取得部が手術器械の個体を識別する識別コードを取得し、制御部は識別コードに対応する手術器械を術野に払い出しているものとして一覧表示する読取器械表示画面を表示するため、読取器械表示画面を見れば術野に払い出されている手術器械を確実に把握することができる。したがって払い出されている手術器械が無いことを確認すれば、術野に払い出し中の手術器械が無いことになるので、その術中管理を容易かつ確実に行うことができる。
【００１０】
前記本発明については、前記制御部が、前記取得部が新たに取得した識別コードと一致する取得済みの前記識別コードの有無を判定し、一致すると判定した前記識別コードに対応する前記手術器械を、前記読取器械表示画面から消去するものとすることができる。即ち、新たに取得した識別コードが取得済みの識別コードと一致する場合というのは、つまり同じ個体の識別コードを２回取得したことを意味する。即ち「取得済みの識別コード」とは、手術器械の術野への払い出し時に取得した識別コードであり、「新たに取得した識別コード」とは、当該手術器械の術野からの回収時に取得した識別コードのことである。そして同じ識別コードが２回取得すると、制御部は当該識別コードに対応する手術器械を読取器械表示画面から消去するので、読取器械表示画面には術野にある手術器械しか表示されなくなるので、使用中の手術器械のみを容易に把握することができる。
【００１１】
前記本発明については、前記制御部が、前記識別コードを取得できない前記手術器械を前記術野に払い出している読取不可器械として一覧表示する読取不可器械表示画面を表示するものとして構成することができる。これによれば、何らかの理由で識別コードを取得できない手術器械を使用せざるを得ない場合であっても、制御部は、読取不可器械表示画面に術野に払い出した手術器械を一覧表示するため、そうした手術器械であっても術野への払い出しと回収を確実に管理することができる。
【００１２】
また、前記目的を達成すべく本発明は、術野における手術器械の術中管理方法であって、前記手術器械の個体を識別する識別コードを取得装置で取得するステップと、前記識別コードに対応する前記手術器械を前記術野に払い出しているものとして一覧表示する読取器械表示画面を表示装置に表示するステップと、を有する手術器械の術中管理方法を提供する。
【００１３】
これによれば、識別コードに対応する手術器械を術野に払い出しているものとして一覧表示する読取器械表示画面を表示するステップを実行するため、読取器械表示画面を見れば術野に払い出されている手術器械を確実に把握することができる。したがって払い出されている手術器械が無いことを確認すれば、術野に払い出し中の手術器械が無いことになるので、その術中管理を容易かつ確実に行うことができる。
【００１４】
以上の本発明における「識別コード」は例えば２次元シンボルとすることができ、「取得部」は撮像装置（コードリーダ）とすることができる。さらに２次元シンボルは、手術器械に直接刻印した刻印部、また２次元シンボルを印刷して手術器械に固定したシール部として構成することができる。
【発明の効果】
【００１５】
本発明によれば、手術器械の術野への払い出しを、読取器械表示画面を通じて一覧表示により容易に把握することができるので、現在使用中の術野にある手術器械を確実に管理することがきる。したがって患者の安全確保を第一として、手術室の効率的な運営を行うことができる。
【００１６】
また本発明では、手術器械の術野からの回収を、読取器械表示画面を通じて容易に把握することができるので、これによっても使用を止めて回収した後に術野に残っている手術器械を確実に管理することができる。
【００１７】
さらに本発明では、識別コードを取得不可能な手術器械であっても、術野への払い出しを読取不可器械表示画面を通じて容易に把握することができるので、そうした手術器械を使用する場合でも、安全に払い出しと回収の管理を行うことができる。
【図面の簡単な説明】
【００１８】
【図１】手術台の周囲の概要を示す説明図。
【図２】一実施形態による手術器械の術中管理装置の右側面を示す外観図。
【図３】図２の術中管理装置のハードウェア構成の一例を示す説明図。
【図４】図３の制御部のハードウェア構成の一例を示す説明図。
【図５】図２の術中管理装置で表示される表示画面の一例を示す説明図。
【図６】図５に続く表示画面の一例を示す説明図。
【図７】図６に続く表示画面の一例を示す説明図。
【発明を実施するための形態】
【００１９】
以下、本発明の一実施形態について図面を参照しつつ説明する。
【００２０】
図１は手術室における手術台の周囲の状況を模式的に示しており、手術台１には患者Ｐが横になっている。手術が行われている目で見える手術部位が術野（operating field）Ｐ１であり、その横には執刀医Ｄと、展開台２に配置した様々な手術器械３を執刀医Ｄに受け渡す看護師Ｎが待機している。看護師Ｎの横には本発明の一実施形態による手術器械３の術中管理装置４が配備されている。
【００２１】
手術室には、手術に応じて必要とされる手術器械３を纏めてセットにしたコンテナが持ち込まれる。コンテナから取り出された手術器械３が展開台２に並べられる。コンテナとコンテナに含まれる手術器械３とは、トレーサビリティのためすべて個体管理されている。各手術器械３については個体識別する「識別コード」としての２次元シンボル３ａが付けられている。２次元シンボル３ａとしてはＧＳ１標準で使用されているデータマトリックスとすることができる。こうした２次元シンボル３ａは、手術器械３に直接刻印するもののほか、手術器械３に貼り付けたシールに印刷したものとしてもよい。２次元シンボル３ａには、手術器械３を個体識別するための識別データとして少なくとも、種類、シリアルナンバーが含まれている。したがって同じ種類の手術器械３であってもシリアルナンバーが異なるため個体識別が可能である。
【００２２】
看護師Ｎは、執刀医Ｄから指示された手術器械３を取って、先ず術中管理装置４で２次元シンボル３ａを読み取ってから執刀医Ｄに手渡すようにする。術中管理装置４では、２次元シンボル３ａの読み取りによって手術器械３が術野Ｐ１に払い出されたものとして管理する。その後、執刀医Ｄからその手術器械３の返却を受けると、看護師Ｎはそのときも２次元シンボル３ａを術中管理装置４で読み取るようにする。術中管理装置４では、同一個体の手術器械３の２次元シンボル３ａの再読み取りによって、手術器械３が術野Ｐ１から回収されたものとして管理する。
【００２３】
術中管理装置４〔図１〜図７〕
術中管理装置４は、図２で示すように、タブレット端末５、タブレット端末５の背面を保持するリテーナ６、リテーナ６を保持する支持部７、支持部７を保持する本体部８、本体部８の正面から前方に伸長する読取部９、本体部８の底面から伸長する支柱１０、支柱１０を保持し、術中管理装置４の全体を支持する脚部１１と、を備えている。支柱１０は脚部１１に対して上下可動となっており、手術器械３を並べる展開台２の高さや看護師Ｎの身長等に応じて作業がし易くなるように、読取部９の高さ位置を調整できるようにしている。
【００２４】
タブレット端末５は、タブレット型のコンピュータ装置であり、タブレット端末５の後述する制御部１３がインストールされている手術器械術中管理プログラムを実行することによって、術中管理装置４で手術器械３の術中管理を行うことができる。タブレット端末５にはタッチパネル５ａを備えており、表示画面５ｂへのタッチによって入力操作を行えるようにしている。タブレット端末５は、支持部７に回転可能に支持された支持アーム７ａによって、その設置角度を変えることができるようになっている。
【００２５】
読取部９には、本体部８に繋がる基部９ａと撮像部９ｂが設けられ、撮像部９ｂの内部には「取得部」としてのコードリーダ９ｃが設置されている。コードリーダ９ｃは手術器械３の２次元シンボル３ａの読取装置であり、タブレット端末５に接続されている。コードリーダ９ｃで読み取られた２次元シンボル３ａのデータは、後述する揮発性記憶部１３ｂに一次記憶された後、不揮発性記憶部１３ｃに記憶される。読取部９には滅菌された硬質樹脂でなる円筒形状のカバー９ｄが取付けられている。カバー９ｄは、カバー本体９ｄ１と、カバー基部９ｄ２とで構成されており、カバー本体９ｄ１の基端の外周にカバー基部９ｄ２を嵌め合わせる際に、それらの間にビニール製の滅菌カバー１２の取付孔（図示略）の孔縁を挟み込ませるようにして嵌め合わせるようにする。これによって手術台１の患者の近傍では、カバー９ｄのみが滅菌カバー１２の外部に露出しており、それ以外の術中管理装置４の部分は滅菌カバー１２で覆うことができる。カバー９ｄと滅菌カバー１２はディスポーザブルであって手術ごとに取り替える。
【００２６】
カバー本体９ｄ１の先端には、開口端が斜めに傾斜する斜め読取口９ｄ３が形成されている。斜め読取口９ｄ３としたのは、コードリーダ９ｃによる読み取りを正確に行えるようにするためである。コードリーダ９には、照明光源となる高輝度ＬＥＤによる発光部と、例えばＣＭＯＳイメージセンサ等の撮像素子による受光部が設けられている。そしてカバー本体９ｄ１の先端が斜め読取口９ｄ３ではなく水平読取口であると、発光部の光が金属製の手術器械３によって受光部に向けて反射して読取エラーになりやすく、正常に読み取れるまで何度も手術器械３の姿勢を変えてみなければならず、読取効率が非常に悪い。しかしながら、本実施形態では斜め読取口９ｄ３であるため、手術器械３を斜め読取口９ｄ３の直径方向に架け渡すようにその縁に当てることで、受光部に向かう反射光量を大幅に低減することができる。したがって斜め読取口９ｄ３によれば、読取エラーが少なく、かざせば瞬時に読み取ることができ、払い出しや回収の際に読み取りによってもたつくことがない。
【００２７】
次に、術中管理装置４のハードウェア構成について説明する。術中管理装置４は、図３でその一例を示すように、タブレット端末５に備える制御部１３と、制御部１３に接続され、制御部１３から出力される情報を表示するタブレット端末５の液晶表示装置等の表示部１４と、制御部１３に対して情報を入力するキーボード、マウス、タッチパネル５ａ、カメラ、コードリーダ９ｃ等の入力部１５とを有している。なお、術中管理装置４のハードウェア構成はこれに限られるものではない。
【００２８】
また、図４は制御部１３のハードウェア構成の一例について示す図である。この図で示すように制御部１３は、主に半導体装置とそれらを接続する配線とからなり、ＣＰＵ（Central Processing Unit）１３ａと、ＲＡＭ等の揮発性記憶部１３ｂと、ハードディスクやフラッシュメモリ等の不揮発性記憶部１３ｃと、ファイヤーウォールやスイッチ等のアクセス中継部やネットワークに接続されるネットワークインターフェース１３ｄと、入力部１５、表示部１４等の外部接続機器と接続するための外部接続インターフェース１３ｅとを有している。なお、制御部１３の構成はこれに限られるものではない。
【００２９】
なお、ネットワークインターフェース１３ｄを病院の手術器械管理システム（図示略）に接続して、術中管理装置４と院内の手術器械管理システムとを連携させるようにしてもよい。この場合、術中管理装置４で取得した履歴データ等の各種データを手術器械管理システムでも共有したり、前述したコンテナとコンテナに含まれている手術器械３とを個体識別するデータを、手術器械管理システムからタブレット端末５で取得するようにしてもよい。
【００３０】
また、タブレット端末５は、タブレット型のコンピュータ装置に限られず、図３及び図４と同様の構成を有するデスクトップコンピュータやサーバコンピュータ等の他のコンピュータ装置であってもよい。
【００３１】
手術器械の術中管理方法
次に、術中管理装置４を使った手術器械３の術中管理方法について説明する。図５は術中管理装置４のタブレット端末５の液晶表示装置等の表示部１４に表示される術中器械管理画面１６の一例を示す図である。術中器械管理画面１６は、大きく分けて、経過表示画面１６ａ、読取器械表示画面１６ｂ、読取不可器械表示画面１６ｃ、読取不可器械入力画面１６ｄ、終了画面１６ｅを含む。
【００３２】
経過表示画面１６ａには、手術開始時に押す手術開始ボタン１６ａ１、手術開始からの経過時間を示す経過時間表示部１６ａ２、現在術野Ｐ１で使用されている手術器械４の総数を示す使用器械数表示部１６ａ３が表示される。
【００３３】
読取器械表示画面１６ｂには、現在術野Ｐ１で使用されている２次元シンボル３ａを読み取られた手術器械３の合計数を表示する読取器械数表示部１６ｂ１、現在術野Ｐ１で使用されている手術器械３の名称と使用開始時間と数を示す読取器械表示部１６ｂ２が表示される。
【００３４】
読取不可器械表示画面１６ｃには、現在術野Ｐ１で使用されている２次元シンボル３ａを読み取ることができなかった手術器械３の合計数を表示する読取不可器械数表示部１６ｃ１、現在術野Ｐ１で使用されている読取り不能な手術器械３を示す読取不可器械表示部１６ｃ２が表示される。
【００３５】
読取不可器械入力画面１６ｄには、２次元シンボル３ａを読み取ることができない手術器械３を術野Ｐ１に払い出す際に押す読取不可器械払い出しボタン１６ｄ１と、２次元シンボル３ａを読み取ることができない手術器械３を術野Ｐ１から回収する際に押す読取不可器械回収ボタン１６ｄ２が表示される。これらは何れもタッチパネル５ａへのタッチ操作によって入力される。また、読取不可器械払い出しボタン１６ｄ１は赤色に、読取器械回収ボタン１６ｄ２は青色に着色されており、それぞれ容易に区別できるようにしている。
【００３６】
終了画面１６ｅには、手術終了時に押される終了ボタン１６ｅ１が配置されている。この終了ボタン１６ｅを押すと経過時間表示部１６ａ２の経過時間が停止する。また、このときには読取器械表示画面１６ｂと読取不可器械表示画面１６ｃには手術器械３の表示が一切残っていないことが必要であり、ここに残っているということは術野Ｐ１に手術器械３が残っていることを意味する。
【００３７】
手術器械３の払い出しの管理
手術開始に合わせて看護師Ｎが手術開始ボタン１６ａ１を押す。すると経過時間表示部１６ａ２の経過時間のカウントが始まる。執刀医Ｄが例えばメスの受け渡しを指示すると、看護師Ｎは展開台２からメス３Ａを取り、その２次元シンボル３ａを術中管理装置４のコードリーダ９ｃに読み取らせる。制御部１３は、２次元シンボル３ａの読み取りを正常に行えた場合には音出力を行って、それが分かるようにしてもよい。制御部１３は、読み取られた２次元シンボル３ａのデータに基づいて使用器械数表示部に「１」を表示し、読取器械表示部１６ｂ２に名称として「メス」、使用開始時刻として「０９：１５：３０」、数量「１」を表示する。
【００３８】
次に、執刀医が鉗子の受け渡しを指示すると、看護師は鉗子３Ｂの２次元シンボル３ａをコードリーダ９ｃに読み取らせる。制御部１３は、読み取られた２次元シンボル３ａのデータに基づいて使用器械数表示部に「２」を表示し、読取器械表示部１６ｂ２に名称として「鉗子」、使用開始時刻として「０９：１８：０９」、数量「１」を表示する（図６参照）。
【００３９】
さらに、２次元シンボルが付されていない手術器械３を使用する場合には、看護師Ｎは読取不可器械入力画面１６ｄに表示されている読取不可器械払い出しボタン１６ｄ１を押す。これによって制御部１３は、図６で示すように、読取不可器械払い出しボタン１６ｄ１と同色の赤色矢印による払出表示１６ｄ３が上から下へと流れるように移動していく表示を読取不可器械入力画面１６ｄに表示させて、看護師Ｎに入力操作が確実になされたことを確認できるようにしている。また、この入力操作によって制御部１３は、使用器械数表示部に「３」を表示し、読取不可器械表示画面１６ｃの読取不可器械数表示部１６ｃ１に「１」を表示し、読取不可器械表示部１６ｄ２に「読取不可器械」を表示する。
【００４０】
以上のようにして２次元シンボル３ａを読み取ることができる手術器械３もできない手術器械３も、術野Ｐ１への払い出しを確実に管理することができる。
【００４１】
手術器械３の回収の管理
次に、術野Ｐ１から手術器械３を回収するには、例えば執刀医Ｄからメス３Ａを受け取ると、看護師Ｎは再びその２次元シンボル３ａをコードリーダ９ｃに読み取らせる。制御部１３のＣＰＵ１３ａは、読み取った識別データと一致する識別データが揮発性記憶部１３ｂに一次記憶されているかを照合する。ここでは一致する識別データが存在するため、使用器械数表示部に「２」を表示し、読取器械表示部１６ｂ２に表示されている「メス」、「０９：１５：３０」、「１」の表示をいずれも消去する。これによって読取器械表示画面１６ｂには、常に術野Ｐ１で使用されている手術器械３のみが表示されることとなる。
【００４２】
また、術野Ｐ１で使用されている読取不能な手術器械３を回収するには、執刀医Ｄからそれを受け取ると、看護師Ｎは、読取不可器械入力画面１６ｄの読取不可器械回収ボタン１６ｄ２を押す。これによって制御部１３は、図７で示すように、読取不可器械回収ボタン１６ｄ２と同色の青色矢印による回収表示１６ｄ４が下から上へと流れるように移動していく表示を、読取不可器械入力画面１６ｄに表示させて、看護師Ｎに入力操作が確実になされたことを確認できるようにしている。また、この入力操作によって制御部１３は、使用器械数表示部に「１」を表示し、読取不可器械表示画面１６ｃの読取不可器械数表示部１６ｃ１に「０」を表示し、読取不可器械表示部１６ｄ２に表示されている「読取不可器械」を消去する。これによって読取不可器械表示画面１６ｃには、常に術野Ｐ１で使用されている手術器械３のみが表示されることとなり、図７の場合には使用されている手術器械３が無いことが一目で分かるように表示されることとなる。
【００４３】
最後に、図７で表示されている鉗子３Ｂについても、術野Ｐ１から回収する際に前述したメス３Ａと同様の回収操作を行うことで、読取器械表示画面１６ｂには術野Ｐ１で使用されている手術器械３が無いことが一目で分かるように表示されることとなる。そして、手術終了のボタンを押せば計時が止まることになる。
【００４４】
なお、手術器械３の術野Ｐ１への払い出しや回収等の手術器械３ごとのすべての履歴データは、不揮発性記憶部１３ｃに記録されており、手術後に見直すことができるようになっている。また、これらの履歴データは、病院の手術器械管理システムで共有することも可能である。
【００４５】
以上のように手術器械３の術中管理装置４と術中管理方法によれば、手術器械３の術野Ｐ１への払い出しを、読取器械表示画面１６ｂを通じて一覧表示により容易に把握することができるので、看護師Ｎの負担も少なく、現在使用中の術野Ｐ１にある手術器械３を確実に管理することがきる。したがって患者の安全確保を第一として、手術室の効率的な運営を行うことができる。
【００４６】
また手術器械３の術野Ｐ１からの回収を、読取器械表示画面１６ｂを通じて容易に把握することができるので、看護師Ｎの負担も少なく、これによっても使用を止めて回収した後に術野Ｐ１に残っている手術器械３を確実に管理することができる。
【００４７】
さらに２次元シンボル３ａを取得不可能な手術器械３であっても、術野Ｐ１への払い出しを読取不可器械表示画面１６ｃを通じて容易に把握することができるので、そうした手術器械３を使用する場合でも、看護師Ｎの負担も少なく、安全に払い出しと回収の管理を行うことができる。
【符号の説明】
【００４８】
１    手術台
２    展開台
３    手術器械
３ａ  ２次元シンボル（識別コード）
３Ａ  メス
３Ｂ  鉗子
４    手術器械の術中管理装置
５    タブレット端末
５ａ  タッチパネル
６    リテーナ
７    支持部
７ａ  支持アーム
８    本体部
９    読取部
９ａ  基部
９ｂ  撮像部
９ｃ  コードリーダ
９ｄ  カバー
９ｄ１  カバー本体
９ｄ２  カバー基部
９ｄ３  斜め読取口
１０    支柱
１１    脚部
１２    滅菌カバー
１３    制御部
１３ａ  ＣＰＵ
１３ｂ  揮発性記憶部
１３ｃ  不揮発性記憶部
１３ｄ  ネットワークインターフェース
１３ｅ  外部接続インターフェース
１４    表示部
１５    入力部
１６    術中器械管理画面
１６ａ  経過表示画面
１６ａ１  手術開始ボタン
１６ａ２  経過時間表示部
１６ａ３  使用器械数表示部
１６ｂ  読取器械表示画面
１６ｂ１  読取器械数表示部
１６ｂ２  読取器械表示部
１６ｃ  読取不可器械表示画面
１６ｃ１  読取不可器械数表示部
１６ｃ２  読取不可器械表示部
１６ｄ  読取不可器械入力画面
１６ｄ１  読取不可器械払い出しボタン
１６ｄ２  読取不可器械回収ボタン
１６ｄ３  払出表示
１６ｄ４  回収表示
１６ｅ  終了画面
１６ｅ１  終了ボタン
Ｐ    患者
Ｐ１  術野
Ｄ    執刀医
Ｎ    看護師
【図１】
2018068916.tif 000003
【図２】
2018068916.tif 000004
【図３】
2018068916.tif 000005
【図４】
2018068916.tif 000006
【図５】
2018068916.tif 000007
【図６】
2018068916.tif 000008
【図７】
2018068916.tif 000009